(57)【要約】【課題】記録媒体等の主たる収納物に加えて各種資料やグッズ等を収容出来てしかも、ケース自体における所定の強度を確保することが出切る様な紙製収納ケースの提供。【解決手段】外ケース（２）と、該外ケース（２）の内部でスライド可能に配置されている内ケース（７）とを有し、収納物（Ｍ）を収容する第１の収納部（Ｖ１）と、該第１の収納部（Ｖ１）とは別個に形成された第２の収納部（Ｖ２）を有し、該第２の収納部（Ｖ２ａ）は、内ケース（７）のスライド方向に延在する１対の中空の四角柱状部材（６５、６５）により画定され、該四角柱状部材（６５、６５）の１面が内ケース（７）の平面状部分に接合されている。【選択図】図５
2005170495.tif 000002
【特許請求の範囲】
【請求項１】
外ケースと、該外ケースの内部でスライド可能に配置されている内ケースと
を有し、外ケース及び内ケースはそれぞれ特定の平面形状を具備する型紙を折
曲することにより形成され、収納物を収容する第１の収納部と、該第１の収納
部とは別個に形成された第２の収納部を有し、該第２の収納部は、内ケースの
スライド方向に延在する１対の中空の四角柱状部材により画定され、該四角柱
状部材の１面が内ケースの平面状部分に接合されていることを特徴とする紙製
収納ケース。
【請求項２】
前記１対の中空の四角柱状部材には、内ケースのスライド方向と直交する方
向の切込みが形成されている請求項１の紙製収納ケース。
【発明の詳細な説明】
【技術分野】
【０００１】
本発明は、紙製収納ケースに関するものである。
【背景技術】
【０００２】
ＣＤ（コンパクトディスク）や光磁気ディスク等の収納ケースを板紙や厚紙
で製造した収納ケースは、軽量化とコスト低減の効果が顕著で広く使用されて
いることは周知の通りである。従来の板紙等によるケースは展示、販売、通常
の保管用には特別な問題がないが、強度がなく長期保管や郵送等では破損を生
じることがあり、また開封時の破損により保管用ケースとしての使用に耐えな
いという問題があった。
【０００３】
本出願人は強度があり、かつ製造容易なケースの技術を開示している。（特
許文献１参照）。
また、ＣＤを収納の際に載置位置を間違えることなく、使用材料を低減させ
る技術を開示している（特許文献２参照）。
【０００４】
近年、記録媒体のケースには、記録媒体の収納に加えて、記録媒体に記憶さ
れた情報に関する各種資料や、種々の関連商品（いわゆる「グッズ」）をも収
容することが要望されている。
しかし、係る資料やグッズ等を収容できる様にすれば、強度の確保が困難と
なり、製造状の難度も増加してしまう。そのため、記録媒体に各種資料やグッ
ズをも収納したいという上述の要望に応えることが出来る様な紙製の収納ケー
スは、現時点では提供されていない。
【特許文献１】特開２０００−２２６０９０号公報
【特許文献２】特開２００１−２５３４８８号公報
【発明の開示】
【発明が解決しようとする課題】
【０００５】
本発明は上述した従来技術の問題点に鑑みて提案されたものであり、記録媒
体等の収納物に加えて各種資料やグッズ等を収容出来てしかも、ケース自体に
おける所定の強度を確保することが出切る様な紙製収納ケースの提供を目的と
している。
【課題を解決するための手段】
【０００６】
本発明の紙製収納ケースは、外ケース（２）と、該外ケース（２）の内部で
スライド可能に配置されている内ケース（７）とを有し、外ケース（２）及び
内ケース（７）はそれぞれ特定の平面形状を具備する型紙（７Ｂ、２Ｂ）を折
曲することにより形成され、収納物（Ｍ）を収容する第１の収納部（Ｖ１）と
、該第１の収納部（Ｖ１）とは別個に形成された第２の収納部（Ｖ２）を有し
、該第２の収納部（Ｖ２ａ）は、内ケース（７）のスライド方向に延在する１
対の中空の四角柱状部材（６５、６５）により画定され、該四角柱状部材（６
５、６５）の１面が内ケース（７）の平面状部分に接合されていることを特徴
としている（請求項１）。
【０００７】
本発明の実施に際しては、別個に形成された第２の収納部をなるべく大きく
、かつ厚さ寸法を大きくすることにより、圧縮強度の低下による圧縮変形が生
じないように構成することが好ましい。
【０００８】
係る構成を具備する本発明では、四角柱状部材の１面が内ケース（７）の平
面状部分に接合されていることにより、内ケース及びケース全体の曲げ及び圧
縮強度が高くなり、その結果、収納物の破損が防げる。
【０００９】
ここで、内ケースの反りがなくなる結果、記録媒体その他の収納物の取りだ
しに支障を来たすことが無い様に、曲げ剛性を低くする配慮をすることが好ま
しい。
そのため、本発明の実施に際しては、前記１対の中空の四角柱状部材（６５
、６５）には、内ケース（７）のスライド方向と直交する方向の切込みが形成
されていることが好ましい（請求項２）。
係る構成を採用することにより、内ケース（７）の曲げ剛性を低くすること
が出来る。具体的には、内ケース（７）の引出し時のみに曲げ剛性を低下させ
るような位置に切込みを形成する。
【発明の効果】
【００１０】
本発明の作用効果を、以下に列挙する。
（ａ）  記録媒体等の収納物を収納する第１の収納部とは別個の第２の収
納部を設けたので資料やグッズ等の収納ができる。
（ｂ）  スライド方向に延在する中空の四角柱状部材を接合した内ケース
により第２の収納部を設けているので、圧縮挫屈強度が大きくすることが出来
る。その結果、ケース、記録媒体及びアクセサリ等の収納物の破損を防止する
ことが出来る。
（ｃ）  また、ケースの破損が防止されるので、開封後も保存用ケースと
して使用できる。
（ｄ）  １対の中空の四角柱状部材（６５、６５）に、内ケース（７）の
スライド方向と直交する方向の切込みを形成すれば、内ケースを引出したとき
に当該切込みによって背面側に容易に反りかえる様に構成することが出来る。
そのため、収納物の取り出しが簡単にできる。
（ｅ）  構造が単純で、製造が容易であり、かつ紙材の使用量が少ない。
【発明を実施するための最良の形態】
【００１１】
図１〜図６は、本発明に係る紙製収納ケースの実施形態の例を示している。
収納ケース１は、外ケース２と、内ケース３とで構成されている。
【００１２】
ここで、図１及び図２が外ケース２を示し、図３及び図４が内ケース３を示
し、図５及び図６が外ケース２と、内ケース３が一体に構成された状態を示し
ている。
【００１３】
図１は外ケース２を示す斜視図である。外ケース２は、正面板部２２と背面
板部２３を第１、第２の側壁２４、２５で側面を連結し、底板部２７で底部を
形成して、上部に開口２０を設けた通常のケースよりやや厚い扁平な直６面体
状の箱体に形成されている。
図１において、符号２６は第１の貼着部であって側壁部２４の裏面に接着剤
で貼着され、符号２９は、第２の貼着部であって正面板部２２の下端裏面に接
着剤で貼着されて底付きの閉断面が形成されている。
【００１４】
図２は、外ケース２を組立て形成するための平面形状を具備する型紙である
ブランク２Ｂを示している。
ブランク２Ｂは、矩形状の正面板部２２と、背面板部２３と、係止片部２１
と、第１、第２の側壁部２４、２５と、底板部２７とが一体になって形成され
ている。
【００１５】
正面板部２２は、折り曲げを指示する図においては水平で平行な上下の折れ
線２２ａ、２２ｂと、これに直交する平行な折れ線２２ｃ、２２ｄとに囲まれ
て４角形状に形成されている。
【００１６】
また、正面板部２２は、折れ線２２ａを介した上部に、左右対象な第１の円
弧２１Ａと第２の円弧２１Ｂ、及び２４ｃと、折れ線２２ａに平行な縁線２１
Ｃによって裁頭山状に形成された係止部２１に連結されている。
【００１７】
折れ線２２ａを中心線とする円状の切欠き孔２８が、係止片部２１と正面板
部２２に跨って形成されており、切欠き孔２８は外ケース２が組立てられた状
態で後記する切欠２３Ｃに相対する位置に形成されている。
【００１８】
また、正面板部２２は図における右側に、折れ線２２ｃを介して折れ線２２
ｃに平行な縁線２４Ａを有する第１の側壁部２４が連結され、下側に折れ線２
２ｂを介して底板部２７に連結されている。
また、正面板部２２は、左側に折れ線２２ｄを介して第２の側壁部２５に連
結されている。
【００１９】
第２の側壁部２５は、折れ線２３ａを介して背面板部２３に連結され、上部
の折れ線２２ａに直通する縁線２５Ａと、下部の折れ線２２ｂに直通する折れ
線２５ｂによって区画されている。
【００２０】
第２の側壁部２５の下端部に、折れ線２５ｂを介して第４の貼着部３１が連
結され、第４の貼着部３１は折れ線２２ｄに直通する切れ線２７Ｂによって底
板部２７と切離されている。
【００２１】
底板部２７は、折れ線２２ｂに平行な折れ線２７ａを介して、折れ線２７ａ
に平行な縁線２９Ａを有する第２の貼着部２９に連結されている。
【００２２】
第２の貼着部２９は、折れ線２７ａに平行する縁部２９Ａによって両端がＲ
で形成された４角状に形成されている。
なお、第２の貼着部２９に代えて背面板部２３の下端に底板部２７と同様な
貼付け用の板を設けてもよい。
【００２３】
第１の側壁部２４の下端に、折れ線２２ｂに直通する折れ線２４ａを介して
第３の貼着部３０が連結され、第３の貼着部３０は折れ線２２ｃに直通する切
れ線２７Ａによって底板部２７と切離されている。
【００２４】
背面板部２３は折れ線２３ａと、折れ線２３ａに平行する折れ線２３ｂとで
左右方向が区分され、縁線２５Ａの端部に連通された緩やかな斜縁線２３Ａと
、斜縁線２３Ａに連通する直縁線２３Ｂと、直縁線２３Ｂに連通するＵ型切欠
２３Ｃと、切欠２３Ｃに連通する縁線２３Ｄとで上方向を区分され、折れ線２
５ｂに連通する縁線２３Ｈによって下方を区分され、外寸が正面板部２２にほ
ぼ等しく形成されている。
また、背面板部２３の左方は、折れ線２３ｂを介して第１の貼着部２６と連
結されている。
【００２５】
第１の貼着部２６は、左方を折れ線２３ｂに平行な縁線２６Ｂで、上方は縁
線２３Dに連通する緩斜する縁線２６Ａで、下方は縁線２３Ｈに連通する緩斜す
る縁線２６Ｈで、緩やかな台形状に形成されている。
【００２６】
上記ブランク２Ｂの外ケース２への組立て要領を、図２及び図５を参照して
以下に説明する。
最初に係止片部２１を、折れ線２２ａに従って正面板部２２の方向に、図に
おける手前方向に９０度以上１８０度以内で折り曲げる。
【００２７】
次いで第１の側壁部２４を折れ線２２ｃに従って正面板部２２の方向に、紙
面に対して垂直方向に直角に折り曲げる。
同様の要領で、第２の貼着部２９を折れ線２７ａに従って、紙面に対して垂
直方向に直角に折り曲げ、さらに底板部２７を折れ線２２ｂに従って紙面に対
して垂直方向に直角に折り曲げる。この結果、第２の貼着部２９は正面板部２
２と平行になる。
【００２８】
次いで、第１の貼着部２６を折れ線２３ｂに従って紙面に対して垂直方向に
直角に折り曲げ、さらに背面板部２３を折れ線２３ａに従って紙面に対して垂
直方向に直角に折り曲げる。この段階で、第１の貼着部２６は正面板部２２に
平行になる。
【００２９】
さらに、折れ線２２ｄに従って第２の側壁部２５を正面板部２２の方向に、
紙面に対して上に直角に折り曲げる。この段階で背面板部２３は正面板部２２
に平行になる。
【００３０】
次いで、第３、第４の貼着部３０、３１をそれぞれの折れ線２４ａ、２５ｂ
に従って、第１、第２の側壁部２４、２５の垂直方向に直角に折り曲げる。
【００３１】
最後に、第１の側壁部２４の内側に第１の貼着部２６を貼り、第２の貼着部
２９を背面板部２３の内側にはり、第３、第４の貼着部３０、３１を角となる
内側に貼りつける。このようにして、図１に示す外ケース２が完成する。
【００３２】
上記の手順は１例であって、特に機械折りの場合は各手順のうち同時に折り
曲げが可能な手順を多くして作業の短縮ができる。また、機械の特性に従って
より良い手順を選択できる。また折り曲げがすべて直線であり、直交線なので
機械折りが容易である。
【００３３】
図３は内ケース７を示す斜視図であって、図５も参照して、抜けとめ手段７
８の１部である耳部６９を設けた中間板部６３と、背面板部６２と、中間板部
６３と背面板部６２との間に設けられた1対の中空の四角柱状部材６５、とで形
成される別個の第２の収納部Ｖ２ａと、蓋板部７１と、底板部７２、とで上下
を閉じた通常のケースよりやや厚い直６面体状の箱体６５に形成されている。
内ケース７は、内ケース７を引出し時に背後に曲げる剛性を低くして、本来
の第1の収納部Ｖ１ａ内の記録媒体等の収納物や別個の第２の収納空間内の収納
物の取出しを容易にしていることが特徴の１つである。
【００３４】
図４は、内ケース７を組立て形成するための平板状態の完成材であるブラン
ク７Ｂを示している。
ブランク７Ｂは、４角形状の正面板部６１と、背面板部６２と、背面板部６
２の両側端に取付けられた中空の四角柱状部材６５を形成する四角柱状部材の
台部６５Ｚと、中間板部６３と、蓋板部７１と、底板部７２、とが一体になっ
て形成されている。基本的に左右対象に形成されているので、特定部分を除き
、片半分の説明に留める。
【００３５】
正面板部６１は、両端部をＲで丸めた上縁線６１Ａと、左右両側端を側縁部
６１Ｂと、下端の折れ線６１ａとで囲まれた４角形状に形成され、蓋板部７１
に連結されている。
【００３６】
蓋板部７１は、折れ線６２ａを介して下方の背面板部６２に連結され、左右
を側縁部６１Ｂの１部で囲まれている。
【００３７】
背面板部６２は、両側端を四角柱状部材の台部６５Ｚに接する折れ線６２ｄ
で、下方を底板部７２に接する折れ線６２ｃで囲まれている。
背面板部６２の図において上部左方に楕円状の上部大半が切り線で囲まれた
孔６２ｅが設けられ、また、中央部横方向に折り線６２ｂが設けられている。
【００３８】
四角柱状部材の台部６５Ｚは上端を折れ線６２ａに直通する上縁線６５Ａと
、下端を折れ線６２ｃに直通する下縁部６５Ｂとで上下を囲まれ、左右を前記
折れ線６２ｄと外縁部６５Ｃ、とで囲まれている。
【００３９】
四角柱状部材の台部６５Ｚは、折れ線６２ｄと６６ａとで囲まれる第１の壁
面部６６と、折れ線６６ａと６７ａとで囲まれる第２の壁面部６７と、折れ線
６７ａと６８ａとで囲まれる第３の壁面部６８と、折れ線６８ａと外縁線６５
Ｃとに囲まれる第４の壁面部６９、とで形成されていて、第１〜第４の壁面部
６６〜６９を折れ線６２ｂに連通する切れ線６２ｈで上下に分離されている。
【００４０】
底板部７２は、上下を折れ線６２ｃと中間板部６３に連結する折れ線６３ａ
で、左右を側縁部７２Ａで、囲まれている。
中間板部６３は、側縁部７２Ａに連通して下方で縮端する傾斜部６３Ａと、
折れ線６３ｂと、ほぼ３／４の円弧を描く円弧縁６３Ｂとで囲まれ、折れ線６
３ｂの近傍で耳部７３を設けて形成されている。
【００４１】
上記ブランク７Ｂの内ケース７への組立て要領を図３、図４及び図５を参照
して以下に説明する。
【００４２】
最初に、左右1対の四角柱状部材の台部６５Ｚを次ぎの要領で４角筒体６５に
形成する。
第４の壁面部６９を折れ線６８ａに従って紙面に垂直な上方向に直角に折り
曲げる。
次いで、第３の壁面部６８を折れ線６７ａに従って紙面に垂直な上方向に直
角に折り曲げる。
【００４３】
この要領で第２、第１の壁面部６７、６６を折れ線６６ａ、６２ｄに従って折
り曲げる。
この結果、第４の壁面部６９の図における裏面が背面板部６２の図における
表面に接する四角柱状部材６５が形成される。
【００４４】
次いで、平面状部分である背面板部６２に四角柱状部材６５の壁面部６９の
裏面を接着剤その他の手段により接合し固定する。
図３における４角筒体６５はこの状態を示している。
【００４５】
次いで、正面板部６１を蓋板部７１に接する折れ線６１ａに従って紙面に垂
直な上方向に直角に折り曲げる。
次いで、中間板部６３を底板部７２に接する折り曲げ線６３ａに従って紙面
に垂直な上方向に直角に折り曲げ、さらに底板部７２を背面板部６２に接する
折れ線６２ｃに従って紙面に垂直な上方向に直角に折り曲げる。
【００４６】
この段階で、両側の四角柱状部材６５と背面板部６２と中間板部６３との間
に第２の収納空間Ｖ２ａが形成される。
【００４７】
最後に、中間板部６３に設けられた耳部７３を図４においては紙面の下方に、
折れ線６３ｂに従って９０度以上折り曲げて、傾斜して立ち上げた状態にする
。
図３は正面板部６１の折り曲げを除いて、上記によって内ケース７が完成し
た状態である。
【００４８】
上記の手順は１例であって、特に機械折りの場合は各手順のうち同時に折り
曲げが可能な手順を多くして作業の短縮ができる。また、機械の特性に従って
より良い手順を選択できる。また折り曲げがすべて直線であり、直交線なので
機械折りが容易である。
【００４９】
図５及び図６は前出の図１の外ケース２に上記の内ケース７を嵌入して収納
ケース１Ａとして完成した状態の側断面を示している。なお、図は機構を見易
くするために側面幅を広くしている。
【００５０】
図５においては、外ケース２の係止片２１と内ケース７の中間板部６３との
間で形成される本来の収納部に相当する第１の収納部Ｖ１ａに記録媒体Ｍが挿
入され、耳部７３で記録媒体Ｍの底中部を支持すると共に上下方向の位置決め
をしている。
また、中間部に資料やグッズ等を収納する別個の第２の収納部Ｖ２ａが形成
されている。
【００５１】
図５における蓋板部７１が折れ線６１ａで直角に曲げられて第１、第２の空
間Ｖ１ａ、Ｖ２ａに蓋をし、正面板部６１が第１の収納部Ｖ１に挿入されて完
成状態となる。
図６は、記録媒体Ｍあるいは資料やグッズ等を取出しのために内ケース７を
引出した状態を示している。
【００５２】
図２におけるＵ型切欠２３Ｃと重なる図４における孔６２ｅに例えば人差し
指の先端を入れ、図２における半切欠き孔２８に例えば親指の先端を入れて内
ケース７が引出される。
このときに内ケース７は、内ケースの耳部７３と外ケース２の係止片部２１
とで構成される抜け止め手段７８によって、内ケースの耳部７３が外ケース２
の係止片部２１に当接して所定長さ以上の引出しを防止する。
【００５３】
次いで、内ケース７を背部方向に反らせて記録媒体Ｍあるいは資料やグッズ
等を取出す。
この内ケース７を背部方向に反らせるときに、角筒体６５が切れ線６２ｈに
よって折れ曲がり記録媒体Ｍあるいは資料やグッズ等の取出しを容易にする。
【００５４】
図示の実施形態はあくまでも例示であって、本発明の技術的範囲を限定する
趣旨の記述ではない。
例えば、上記実施形態においては、主としてＣＤ等の記録媒体を第１の収納
部に収容するケースについて説明したが、記録媒体を第１の収納部に収容する
ケースのみに限定されるものではなく、例えば、菓子その他を収容する紙製ケ
ースについても適用可能である旨を付記する。
【図面の簡単な説明】
【００５５】
【図１】本発明の実施形態の外ケースの斜視図である。
【図２】図１の外ケースのブランク図である。
【図３】本発明の実施形態の内ケースの斜視図である。
【図４】図３の内ケースのブランク図である。
【図５】図１の外ケースに図３の内ケースが嵌着された状態の本発明の実施形態の側断面図である。
【図６】図１の外ケースから内ケースが引出された状態の本発明の実施形態の側断面図である。
【符号の説明】
【００５６】
Ｖ        収納部
Ｖ１、Ｖ２    第１、第２の収納部（空間）
１      収納ケース
２      外ケース
２Ｂ    型紙、ブランク
７      内ケース
７Ｂ    型紙、ブランク
２０      開口
２１      係止片部
２２      正面板部
２３      背面板部
２４      第１の側壁
２５      第２の側壁
２６      第３の側壁
２７      底板部
２８      円孔
２９      第１の貼着部
３０      第２の貼着部
３１      第３の貼着部
６１      正面板部
６２      背面板部
６３      中間板部
６２ｈ    切れ線
６５      中空の四角柱状部材
６５Ｚ    四角柱状部材の台部
７３      耳部
【図１】
2005170495.tif 000003
【図２】
2005170495.tif 000004
【図３】
2005170495.tif 000005
【図４】
2005170495.tif 000006
【図５】
2005170495.tif 000007
【図６】
2005170495.tif 000008